(57)【特許請求の範囲】
【請求項１】
中びん（２）を囲んだ外装ケース（３）と、この外装ケース（３）の上端に結合する肩部材（４）と、外装ケース（３）の下端内側に嵌合するネジ輪（５）と、中びん（２）の底部を覆い、ネジ輪（５）に螺着する底部材（６）と、肩部材（４）上端に着脱自在に装着し、中びん（２）の口元を覆う蓋体（７）とからなる魔法びんに於いて、上記外装ケース（３）の下端を中びん（２）の胴部高さ位置に設ける一方、ネジ輪（５）が外装ケース（３）の下端と嵌合する環状外壁部（１０）と、この環状外壁部（１０）の上端より内方に延びた連結部（１１）と、この連結部（１１）の先端より下方に垂下し、外側に底部材用ねじ（１２）を備えた環状内壁部（１３）とを一体的に設けてなることを特徴とした魔法びん。
【発明の詳細な説明】
【０００１】
【産業上の利用分野】
本発明は横断面外形状が円形でない、例えば四角形等の多角形状を有する卓上用又は携帯用の魔法びんに関するものである。
【０００２】
【従来の技術】
従来、魔法びんは中びんを囲んだ外装ケースと、この外装ケースの上端に結合する肩部材と、外装ケースの下端内側に嵌合するネジ輪と、中びんの底部を覆い、ネジ輪に螺着する底部材と、肩部材上端に着脱自在に装着し、中びんの口元を覆う蓋体とからなっている。そして中びんの横断面外形状が円形であるために、この中びんを囲む外装体も横断面外形状を円形とすることによって、中びんと外装体との間のデットスペースをより少なくして、コンパクトにすることが開発されていた。
【０００３】
【発明が解決しようとする課題】
ところが、近年、この種の魔法びんでは、デザイン上の構造から中びんを囲んだ外装体の横断面外形状を三角形、四角形等の多角形や異形状のものが開発されたが、中びん自体が常に横断面外形状を円形としているために、外装体と底部材との結合が容易にできずに、互いに肉厚となって材料の無駄が多くなったり、特に薄い鉄板をハゼ折りした外装体と合成樹脂材料による底部材とでは結合が難しく、大きな隙間が空いたり、結合が十分でなかったりして、デザイン的にすっきりせず、構造が複雑となって大幅なコストアップとなっていた。
【０００４】
そこで、本発明はこのような従来の魔法びんが有していた課題を解決したものであって、極めて簡単な構造にて多角形や異形状の横断面外形状であっても容易に結合でき、デザイン的にもすっきりして、しかも大幅なコストダウンをはかることができることを目的とした魔法びんを提供するにある。
【０００５】
【課題を解決するための手段】
上記目的を達成するために、本発明の魔法びんは中びん２を囲んだ外装ケース３と、この外装ケース３の上端に結合する肩部材４と、外装ケース３の下端内側に嵌合するネジ輪５と、中びん２の底部を覆い、ネジ輪５に螺着する底部材６と、肩部材４上端に着脱自在に装着し、中びん２の口元を覆う蓋体７とからなる魔法びんに於いて、上記外装ケース３の下端を中びん２の胴部高さ位置に設ける一方、ネジ輪５が外装ケース３の下端と嵌合する環状外壁部１０と、この環状外壁部１０の上端より内方に延びた連結部１１と、この連結部１１の先端より下方に垂下し、外側に底部材用ねじ１２を備えた環状内壁部１３とを一体的に設けてなる構成としている。
【０００６】
【発明の実施の形態】
以下、本発明の実施例について図に基づき説明する。
図中、図１は本発明実施例の縦断面図、図２は本発明の要部を示す分解斜視図、図３は本発明の肩部材を示す一部縦断面図、図４は本発明の外装ケースとネジ輪とを示す縦断面図、図５は本発明の底部材を示す縦断面図である。
【０００７】
魔法びん１は中びん２を囲む外装ケース３と、外装ケース３の上端に結合する肩部材４と、外装ケース３の下端内側に嵌合するネジ輪５と、中びん２の底部を覆い、ネジ輪５に螺着する底部材６と、肩部材４上端に着脱自在に装着し、中びん２口元を覆う蓋体７とから構成されている。
【０００８】
中びん２は横断面円形状のガラス製一重又は真空二重びんである。
この中びん２を囲む外装ケース３は薄い鉄板を折り曲げて横断面四角形状に形成しており、図４に示すように、上端を斜め内側に折り曲げた上端嵌合片８を設け、下端を内側に折り曲げて下端嵌合溝９を設けている。この外装ケース３は四角形状に形成しているが、三角形状等の多角形又は異形状であってもよい。この外装ケース３の下端は、図１に示すように、中びん２の胴部の高さ位置に設けている。
【０００９】
ネジ輪５は図４に示すように、外装ケース３の下端の下端嵌合溝９内に嵌合する環状外壁部１０と、この環状外壁部１０の上端より内方に延びた連結部１１と、この連結部１１の先端より下方に垂下して、外側に底部材用ねじ１２を備えた環状内壁部１３とを一体的に設けている。
【００１０】
このネジ輪５の環状外壁部１０は図１に示すように、外装ケース３の下端嵌合溝９内に沿って嵌合しているので、四角形状に形成している。環状内壁部１３は図２に示すように、円形状に形成しており、図１に示すように、中びん２の胴部に接近して垂設している。
【００１１】
このネジ輪５は外装ケース３の下端嵌合溝９内に沿って嵌合しているので、後述の底部材６を螺着しても回り止めを必要とせずに、外装ケース３の下端嵌合溝９内を摺動することはない。このネジ輪５の連結部１１は環状外壁部１０と環状内壁部１３との全周を連結している。
【００１２】
底部材６は図１及び図５に示すように、上部を外装ケース３に沿うような外壁部１４と、ネジ輪５の底部材用ねじ１２に螺着するねじ１６を備えた内壁部１５との二重構造に設け、下部の台座部１７中央に後述の締上げ部材１８を螺着する締上げ用ネジ１９を刻設している。
【００１３】
底部材６の外壁部１４は外装ケース３の外形状に沿って四角形状に形成しており、内壁部１５はネジ輪５の環状内壁部１３の外側に沿って円形状に形成している。この底部材６は内壁部１５のねじ１６がネジ輪５の底部材用ねじ１２に螺着して、外装ケース３の下端に底部材６の外壁部１４上端とが当接しても、底部材６の内壁部１５上端とネジ輪５の連結部１１下面とが当接しないように設けている。
【００１４】
締上げ部材１８は図５に示すように、有底筒状に形成しており、外周壁に底部材６の締上げ用ネジ１９に螺着して中びん２の底を押し上げている。
肩部材４は図１及び図３に示すように、後方に把手２０を設け、前方に液体流通路を備えた嘴部２１を設け、中央に後述の蓋体７を螺着する受部２２を設け、下部の外周壁を外装ケース３の外形状に沿った四角形状に形成し、下端に外装ケース３の上端嵌合片８を嵌合する爪部２３を設けている。
肩部材４の受部２２は図１に示すように、中央に中びん２の口元と連通する中央開口をもうけている。
【００１５】
中びん２の口元を覆う蓋体７はレバー２４の上下動に伴って弁体２５を開閉し、中びん２内と肩部材４の嘴部２１の液体流通路とを連通又は閉鎖する機構を備えており、肩部材４の受部２２に着脱自在に螺着している。
この蓋体７は特にレバー式の液体流出機構でなくても、通常のねじ式栓構造であってもよい。
【００１６】
組立てについて説明すると、横断面四角形状の外装ケース３の下端嵌合溝９内にネジ輪５の環状外壁部１０を嵌合した状態とする。この状態で外装ケース３の上端嵌合片８を肩部材４の爪部２３上に当接嵌合する。次に、中びん２を外装ケース３の下方より差し込んで、肩部材４の受部２２下側にパッキンを介して中びん２口元を当接する。
【００１７】
更に、外装ケース３の下端と底部材６の外壁部１４の上端とが接合するまで、底部材６の内壁部１５のねじ１６をネジ輪５の底部材用ねじ１２に螺着する。その後、締上げ部材１８を底部材６の締上げ用ネジ１９に螺着して中びん２を押し上げる。これによって、外装ケース３の横断面四角形状が底部材６及び肩部材４にまで隙間なくおよぶこととなる。
【００１８】
以上本発明の代表例と思われる実施例について説明したが、本発明は必ずしもこれらの実施例構造のみに限定されるものではなく、本発明にいう前記の構成要件を備え、かつ本発明にいう目的を達成し、以下にいう効果を有する範囲内において適宜改変して実施することができるものである。
【００１９】
【発明の効果】
以上の説明から既に明らかなように、本発明にいうところの魔法びんは、中びんを囲んだ外装ケースと、この外装ケースの上端に結合する肩部材と、外装ケースの下端内側に嵌合するネジ輪と、中びんの底部を覆い、ネジ輪に螺着する底部材と、肩部材上端に着脱自在に装着し、中びんの口元を覆う蓋体とからなる魔法びんに於いて、上記外装ケースの下端を中びんの胴部高さ位置に設ける一方、ネジ輪が外装ケースの下端と嵌合する環状外壁部と、この環状外壁部の上端より内方に延びた連結部と、この連結部の先端より下方に垂下し、外側に底部材用ねじを備えた環状内壁部とを一体的に設ける構成としているので、極めて簡単な構造にて多角形や異形状の横断面外形状であっても容易に結合でき、デザイン的にもすっきりして、しかも大幅なコストダウンをはかることができるという顕著な効果を期待することが出来るに至ったのである。
【図面の簡単な説明】
【図１】本発明実施例の縦断面図。
【図２】本発明の要部を示す分解斜視図。
【図３】本発明の肩部材を示す一部縦断面図。
【図４】本発明の外装ケースとネジ輪とを示す縦断面図。
【図５】本発明の底部材を示す縦断面図。
【符号の説明】
１…魔法びん
２…中びん
３…外装ケース
４…肩部材
５…ネジ輪
６…底部材
７…蓋体
８…上端嵌合片
９…下端嵌合溝
１０…環状外壁部
１１…連結部
１２…底部材用ねじ
１３…環状内壁部
１４…外壁部
１５…内壁部
【図１】
0003751254.tif 000002
【図２】
0003751254.tif 000003
【図３】
0003751254.tif 000004
【図４】
0003751254.tif 000005
【図５】
0003751254.tif 000006